(57)【特許請求の範囲】
【請求項１】
対向する２つの外壁１を設け、２つの外壁１の間に中仕切後部壁２６を設け、中仕切後部壁２６と水平方向に重なる位置と、中仕切後部壁２６に沿って、中仕切後部壁２６より前方に突出する位置とに移動できる中仕切前部壁２５を設け、２つの外壁１と、中仕切後部壁２６及び中仕切前部壁２５間の２つの開口部をそれぞれ別個に開閉できる、２つの弧状の回転ドア３３を設け、それぞれの回転ドア３３は、後部側端部３５が外壁前端部２に近接し、前部側端部３４が、中仕切後部壁２６より前方に突出した位置にある中仕切前部壁２５の中仕切壁前端部１５に近接する回転ドア３３の閉鎖位置で、室１７内が広くなり、かつ、回転ドア３３の後部側端部３５が、中仕切後部壁２６の中仕切壁後端部１６に近接し、回転ドア３３の前部側端部３４が外壁前端部２に近接する回転ドア３３の閉鎖位置で、室１７内が狭くなるように形成した回転ドア装置。
【発明の詳細な説明】
【０００１】
【発明の属する技術分野】
本発明は、室の開口部の開閉に用いる回転ドア装置に関する。
【０００２】
【従来の技術】
従来回転ドア装置として、本出願人がさきに特許出願した特許第２５０５７１４号の発明がある。
【０００３】
前記の発明は、図１４に記載するように、開口部に、ほぼ４分の１円筒形のドアを２枚対向して設け、２枚のドアを反対方向に回動することにより、便室内を広くして開口部を閉鎖し、また２枚のドアを前記と反対方向に回動することにより、便室内を狭くして開口部を閉鎖するドア装置である。
【０００４】
【発明が解決しようとする課題】
前記従来のドア装置は、便室内を使用しない場合は、便室内を狭くし、便室の外を広くしてドアを閉鎖でき便利である。
【０００５】
本発明は、さらに、複数個設置する回転ドア装置を簡単な構成にすると共に、複数個設置した回転ドア装置を利用した室の空間利用効率を向上させた装置を提供することを課題とする。
【０００７】
【課題を解決するための手段】
本発明は、対向する２つの外壁１を設け、２つの外壁１の間に中仕切後部壁２６を設け、中仕切後部壁２６と水平方向に重なる位置と、中仕切後部壁２６に沿って、中仕切後部壁２６より前方に突出する位置とに移動できる中仕切前部壁２５を設け、２つの外壁１と、中仕切後部壁２６及び中仕切前部壁２５間の２つの開口部をそれぞれ別個に開閉できる、２つの弧状の回転ドア３３を設け、それぞれの回転ドア３３は、後部側端部３５が外壁前端部２に近接し、前部側端部３４が、中仕切後部壁２６より前方に突出した位置にある中仕切前部壁２５の中仕切壁前端部１５に近接する回転ドア３３の閉鎖位置で、室１７内が広くなり、かつ、回転ドア３３の後部側端部３５が、中仕切後部壁２６の中仕切壁後端部１６に近接し、回転ドア３３の前部側端部３４が外壁前端部２に近接する回転ドア３３の閉鎖位置で、室１７内が狭くなるように形成して回転ドア装置とした。
【０００８】
本発明の回転ドア装置は、店舗、トイレ、電話室、更衣室等の種々の室に適用できる。
【０００９】
【発明の実施の形態】
以下図に基づいて本発明の実施の形態の説明をする。まず図１から図９により第１の発明の一実施の形態の説明をする。
【００１０】
この実施の形態の回転ドア装置は、対向する２つの外壁１を設け、２つの外壁１の後部には、外壁１に接続する後壁３が設けてあり、後壁３には平板状の扉４が設けてあり、後壁３の前方には整備点検用空間７が設けてあり、整備点検用空間７の前には、両側の端部が外壁１に接続する後部仕切６が設けてある。
【００１１】
そして、後部仕切６の中間部から、前方に延びる中仕切壁１４が設けてあり、この中仕切壁１４は、２つの外壁１の中間の位置に、２つの外壁１と略同じ高さに形成してあり、そして、２つの外壁１より前方に突出して設けてある。
【００１２】
そして、２つの外壁１と１つの中仕切壁１４の間の２つの開口部には、２つの開口部をそれぞれ別個に開閉できる、４分の１円筒形に形成されている２つの弧状の回転ドア３３を、それぞれ略９０度回動できるようにして設けてある。
【００１３】
そして、それぞれの回転ドア３３は、回動して図１に示す後部側端部３５の外側が、外壁前端部２の内側に接近または当接し、回転ドア３３の前部側端部３４が、中仕切壁前端部１５に当接または接近する回転ドア３３の閉鎖位置で、それぞれ室１７内が広くなるように形成してある。
【００１４】
そして、それぞれの回転ドア３３は、回動して図８に示す後部側端部３５が、中仕切壁後端部１６に当接または接近し、回転ドア３３の前部側端部３４が外壁前端部２の内側に接近または当接する回転ドア３３の閉鎖位置で、それぞれ室１７内が狭くなるように形成してある。
【００１５】
そして、室１７の最後部には、それぞれ、現金自動預け払い機１８が設置してあり、さらに外壁１と後壁３の上には、回転ドア３３その他の装置を支持する支持機構５が設けてある。なお、前記後部仕切６には、現金自動預け払い機１８の後部部分の設置位置に対応する開口部が形成されている。
【００１６】
そして、回転ドア３３を回動させるには、モータ３６で回動させるように形成しても、また手動式とすることも可能である。
そして、２つの回転ドア３３は、図９に示すように、それぞれ別に操作することができるものである。
【００１７】
次に図１から図１３により第２の発明の一実施の形態の説明をするが、図１から図９は第１の発明の一実施の形態の説明で説明してあるので、図１から図９における第２の発明の一実施の形態の説明は一部省略する。
【００１８】
この第２の発明の一実施の形態も、第１の発明の一実施の形態と同様に対向する２つの外壁１を設けてある。
そして、図１０及び図１１に示すように、後部仕切６の中間部から、前方に延びる中仕切後部壁２６を設けてあり、この中仕切後部壁２６は、２つの外壁１の中間の位置に、２つの外壁１と略同じ高さに形成してあり、そして、２つの外壁１と略同程度前方に延ばして設けてある。
【００１９】
そして、この中仕切後部壁２６は、２枚の壁を小間隔を置いて対向して設けて、中仕切後部壁２６としているが、中仕切後部壁２６は、１枚の壁のみで形成することも可能である。
【００２０】
そして、前記中仕切後部壁２６である、２枚の壁の間に挿入されて中仕切後部壁２６と水平方向に重なる位置と、中仕切後部壁２６に沿って中仕切後部壁２６より前方に突出する位置との間を、前後に移動できる中仕切前部壁２５を設けてある。
【００２１】
そして、２つの外壁１と、中仕切後部壁２６及び中仕切前部壁２５間の２つの室１７の２つの開口部を、それぞれ別個に開閉できる４分の１円筒形に形成されている２つの弧状の回転ドア３３を、それぞれ９０度回動できるようにして設けてある。
【００２２】
そして、それぞれの回転ドア３３は、回動して図１０に示す後部側端部３５の外側が外壁前端部２の内側に接近または当接し、回転ドア３３の前部側端部３４が前方に進出した中仕切前部壁２５の中仕切壁前端部１５に当接し、または接近する回転ドア３３の閉鎖位置で室１７が広くなるように形成してある。
【００２３】
また、それぞれの回転ドア３３は、回動して図１１に示す、後部側端部３５が中仕切後部壁２６の中仕切壁後端部１６に当接または接近し、回転ドア３３の前部側端部３４が、外壁前端部２の内側に接近または当接する回転ドア３３の閉鎖位置で、それぞれ室１７内が狭くなるように形成してある。
【００２４】
そして、図１１に示す双方の室１７内が狭くなった場合は、中仕切前部壁２５は中仕切後部壁２６と重なる位置に収納する。
中仕切前部壁２５は、図１２に示すように、各回転ドア３３の動作を検出するドアセンサ４０ａ，４０ｂの検出信号に基づき、制御部７０からの指令によって中仕切壁用モータ５０が作動し、前方あるいは後方にスライドするようになっている。なお、制御部７０は、ＣＰＵ（Ｃｅｎｔｒａｌ  Ｐｒｏｃｅｓｓｉｎｇ  Ｕｎｉｔ）等で構成されている。
【００２５】
ここで、図１３を中心に、制御部７０の処理フローを基にして、本装置の動作を説明する。
制御部７０は、ドアセンサ４０ａ及びドアセンサ４０ｂからの信号に基づき、各回転ドア３３が開放された状態（室１７が狭くなる状態）であるか否かを監視する（ステップ１０１）。
【００２６】
そして、双方の回転ドア３３が開放された状態の場合、制御部７０は、中仕切壁用モータ５０を作動させて、中仕切前部壁２５を後方にスライドさせて、中仕切壁１４を収縮させる（ステップ１０２）。この状態では、図１１に示すように、中仕切壁前端部１５は外壁前端部２と同程度の突出となり、装置の前方は広く開放される。
【００２７】
さらに制御部７０は、回転ドア３３の少なくとも一方の動作が開始（回転ドア３３の閉じ動作が開始）したことを判断すると（ステップ１０３）、中仕切壁用モータ５０を作動させて、中仕切前部壁２５を前方にスライドさせて、中仕切壁１４を延出させる（ステップ１０４）。
【００２８】
なお、ドアセンサとしては、例えば、回転ドア３３の回転位置を検出するフォトインタラプタ等を備えるセンサとすることができる。あるいは、ドアセンサからの検出信号の代わりに、回転ドア３３の開閉スイッチの信号を制御部７０が入力して、回転ドアの作動状態を判断するようにしてもよい。
【００２９】
【発明の効果】
第１の発明は、２つの外壁１と１つの中仕切壁１４と２つの回転ドア３３で、２つの室１７を設けた回転ドア装置を形成したものである。したがって、２つの室１７を設けた回転ドア装置を簡単な構成とすると共に、設置箇所への運搬も容易にできるものとした。
【００３０】
第２の発明は、さらに、２つの室１７を同時に使用していない場合は、中仕切前部壁２５を中仕切後部壁２６と重なる位置に収容できるので、２つの室１７を同時に使用しない場合は、室１７の外をさらに広くすることができるものである。
【図面の簡単な説明】
【図１】第１の発明の一実施の形態の説明用の、室をひろくした状態の上面より見た断面図。
【図２】本発明の一実施の形態の説明用の正面図。
【図３】本発明の一実施の形態の説明用の側面図。
【図４】本発明の一実施の形態の説明用の背面図。
【図５】本発明の一実施の形態の説明用の斜視図。
【図６】第１の発明の一実施の形態の説明用の室内を狭くした状態の斜視図。
【図７】本発明の一実施の形態の説明用の回転ドアの斜視図。
【図８】第１の発明の一実施の形態の説明用の室を狭くした状態の上面より見た断面図。
【図９】第１の発明の一実施の形態の説明用の一方の室を広くし、他方の室を狭くした状態の上面より見た断面図。
【図１０】第２の発明の一実施の形態の説明用の室内を広くした状態の上面より見た断面図。
【図１１】第２の発明の一実施の形態の説明用の室を狭くした状態の上面より見た断面図。
【図１２】第２の発明の一実施の形態の説明用の中仕切壁の動作を制御する装置の構成図。
【図１３】第２の発明の一実施の形態の説明用の制御部の処理フローを表す図。
【図１４】従来例の上面より見た断面図
【符号の説明】
１  外壁
２  外壁前端部
３  後壁
４  窓
５  支持機構
６  後部仕切
７  整備点検用空間
１４  中仕切壁
１５  中仕切壁前端部
１６  中仕切壁後端部
１７  室
１８  現金自動預け払い機
２５  中仕切前部壁
２６  中仕切後部壁
３３  回転ドア
３４  前部側端部
３５  後部側端部
３６  モータ
４０ａ  ドアセンサ
４０ｂ  ドアセンサ
５０  中仕切壁用モータ
【図１】
0004118478.tif 000002
【図２】
0004118478.tif 000003
【図３】
0004118478.tif 000004
【図４】
0004118478.tif 000005
【図５】
0004118478.tif 000006
【図６】
0004118478.tif 000007
【図７】
0004118478.tif 000008
【図８】
0004118478.tif 000009
【図９】
0004118478.tif 000010
【図１０】
0004118478.tif 000011
【図１１】
0004118478.tif 000012
【図１２】
0004118478.tif 000013
【図１３】
0004118478.tif 000014
【図１４】
0004118478.tif 000015